(57)【要約】【課題】共通使用できるとともに熱的影響が生じるのを防止できるランプ装置を提供する。【解決手段】ランプ装置11は、ソケットに対して着脱可能でかつソケットに対して一定の向きで組み合わされる筐体20を備える。筺体20からは第１の電極40および複数の第２の電極41を突設する。筺体20に、第１の電源入力部51および第２の電源入力部52を有する光源21を配置する。接続手段53により、第１の電源入力部51と第１の電極40とを電気的に接続するとともに、第２の電源入力部52と複数の第２の電極41のうち光出力の大きさに応じた少なくとも２つ以上の第２の電極41とを電気的に接続する。【選択図】図１
2015118775.tif 000002
【特許請求の範囲】
【請求項１】
ソケットに対して着脱可能でかつ前記ソケットに対して一定の向きで組み合わされる筐体と；
前記筺体から突設された第１の電極と；
前記筺体から突設された複数の第２の電極と；
前記筺体に配置され、第１の電源入力部および第２の電源入力部を有する光源と；
前記第１の電源入力部と前記第１の電極とを電気的に接続するとともに、前記第２の電源入力部と前記複数の第２の電極のうち光出力の大きさに応じた少なくとも２つ以上の前記第２の電極とを電気的に接続する接続手段と；
を具備することを特徴とするランプ装置。
【請求項２】
光出射側である前側に対して反対の後側の中央に突出部を有し、前記後側がソケットに対して着脱可能でかつ前記ソケットに対して一定の向きで組み合わされる筐体と；
前記突出部の周囲で前記筺体の後側の周辺から突設された第１の電極と；
前記突出部の周囲で前記筺体の後側の周辺から突設された複数の第２の電極と；
前記筺体に配置され、第１の電源入力部および第２の電源入力部を有する光源と；
前記第１の電源入力部と前記第１の電極とを電気的に接続するとともに、前記第２の電源入力部と前記第２の電極のうち光出力の大きさに応じた少なくとも２つ以上の前記第２の電極とを電気的に接続する接続手段と；
を具備することを特徴とするランプ装置。
【請求項３】
前記第１の電極および前記光源は、複数であり、
前記接続手段は、複数の前記光源の前記第１の電源入力部と複数の前記第１の電極とをそれぞれ電気的に接続するとともに、複数の前記光源の前記第２の電源入力部と前記複数の第２の電極のうち光出力の大きさに応じた少なくとも２つ以上の前記第２の電極とを電気的に接続する
ことを特徴とする請求項１または２記載のランプ装置。
【請求項４】
請求項１ないし３いずれか一記載の前記ランプ装置を着脱可能でかつ前記ランプ装置を一定の向きで組み合わせるソケット本体と；
前記ソケット本体の一定位置に配置され、前記第１の電極を電気的に接続する第１の端子と；
組み合わせる前記ランプ装置の光出力の大きさに応じて前記ソケット本体の異なる位置に配置され、前記第２の電極を電気的に接続する第２の端子と；
を具備することを特徴とするソケット。
【請求項５】
請求項１ないし３いずれか一記載の前記ランプ装置と；
請求項４記載の前記ソケットを配置した器具と；
前記ソケットの前記第１の端子および前記第２の端子に電源を供給する電源回路と；
を具備することを特徴とする照明装置。
【発明の詳細な説明】
【技術分野】
【０００１】
本発明の実施形態は、ランプ装置、このランプ装置を着脱可能に装着するソケット、これらランプ装置およびソケットを用いた照明装置に関する。
【背景技術】
【０００２】
従来、器具のソケットに対して着脱可能なランプ装置がある。例えば、Ｅ口金ランプ、ＧＸ５３口金ランプおよびＧＨ７６ｐ口金ランプ等の口金を有するランプ装置がある。
【０００３】
このようなランプ装置においては、ランプ装置の光出力に応じた発熱量と器具の放熱性能とを最適化させるため、ランプ装置と器具とが一対一の関係でのみ装着して使用できるように構成されている。しかし、このような構成では、低光出力のランプ装置を、高光出力のランプ装置に最適化した高出力用の器具に装着しても、放熱性能が過剰となるだけで使用には問題ないにも関わらず、低光出力のランプ装置を高出力用の器具に装着して使用することができない不都合がある。
【０００４】
また、ランプ装置の光出力の大きさにかかわらず、ランプ装置の口金構造およびソケット構造をそれぞれ共通にしたことにより、低光出力のランプ装置を高出力用の器具に装着して使用することが可能となる。しかし、この場合には、高光出力のランプ装置を低出力用の器具に装着できてしまう。この場合、高光出力のランプ装置からの熱を低出力用の器具では処理しきれず、ランプ装置の過剰な発熱による短寿命、あるいはランプ装置の内部部材の熱損といった不具合が生じる虞がある。
【先行技術文献】
【特許文献】
【０００５】
【特許文献１】特開２０１３−４１７４号公報
【発明の概要】
【発明が解決しようとする課題】
【０００６】
従来、ランプ装置を共通使用することができず、あるいは、ランプ装置を共通使用するようにすると、組み合わせによってはランプ装置に熱的影響が生じる問題がある。
【０００７】
本発明が解決しようとする課題は、共通使用できるとともに熱的影響が生じるのを防止できるランプ装置、ソケットおよび照明装置を提供することである。
【課題を解決するための手段】
【０００８】
実施形態のランプ装置は、ソケットに対して着脱可能でかつソケットに対して一定の向きで組み合わされる筐体を備える。筺体からは第１の電極および複数の第２の電極を突設する。筺体に、第１の電源入力部および第２の電源入力部を有する光源を配置する。接続手段により、第１の電源入力部と第１の電極とを電気的に接続するとともに、第２の電源入力部と複数の第２の電極のうち光出力の大きさに応じた少なくとも２つ以上の第２の電極とを電気的に接続する。
【発明の効果】
【０００９】
本発明によれば、光源に電気的に接続される少なくとも２つ以上の第２の電極のいずれからでも、光源への電源の供給を可能とし、ランプ装置を共通使用することができ、また、光源に電気的に接続されない第２の電極を備えれば、その第２の電極からの電源の供給を遮断し、熱的影響が生じるのを防止することが期待できる。
【図面の簡単な説明】
【００１０】
【図１】第１の実施形態を示すランプ装置Ｃの構成図である。
【図２】同上器具Ｅの構成図である。
【図３】同上器具Ｄの構成図である。
【図４】同上器具Ｂの構成図である。
【図５】同上(a)はランプ装置Ｃと器具Ｅとを組み合わせた構成図、(b)はランプ装置Ｃと器具Ｄとを組み合わせた構成図、(c)はランプ装置Ｃと器具Ｂとを組み合わせた構成図である。
【図６】同上(a)はランプ装置Ｂと器具Ｅとを組み合わせた構成図、(b)はランプ装置Ｂと器具Ｄとを組み合わせた構成図、(c)はランプ装置Ｂと器具Ｂとを組み合わせた構成図である。
【図７】同上ランプ装置と器具との組み合わせの対照表である。
【図８】同上ランプ装置およびソケットの斜視図である。
【図９】同上ランプ装置の平面図である。
【図１０】同上ソケットの底面図である。
【図１１】同上照明装置の断面図である。
【図１２】第２の実施形態のランプ装置と器具との組み合わせの対照表である。
【図１３】第３の実施形態のランプ装置と器具との組み合わせの対照表である。
【発明を実施するための形態】
【００１１】
以下、第１の実施形態を、図１ないし図１１を参照して説明する。
【００１２】
図１１に照明装置10を示す。照明装置10は、例えばダウンライトである。照明装置10は、ランプ装置11および器具12を備え、さらに器具12に配置された電源回路13およびソケット14を備えている。なお、電源回路13は、器具12に配置せず、別置きでもよい。
【００１３】
そして、図８、図９および図１１に示すように、ランプ装置11は、筐体20、および筐体20内に収容される光源21等を備えている。なお、以下、ランプ装置11の光照射側である前側を下側とし、光照射方向に対して反対側である後側を上側として説明する。
【００１４】
筐体20は、例えば合成樹脂などの絶縁材料で円筒状に形成されたケース23、ケース23の下面を覆うカバー24、およびケース23の上側に取り付けられた放熱部材25を備えている。
【００１５】
ケース23の上面中央に環状の壁部27が突出され、壁部27を貫通するように放熱部材25が取り付けられている。すなわち、筐体20の上面中央に突出部28が突出されている。
【００１６】
カバー24は、中央が開口された環状のカバー本体30、およびカバー本体30の中央の開口を覆う透光板31を備えている。透光板31は、中央が開口された環状のダンパー32によって保持されている。
【００１７】
放熱部材25は、例えばアルミダイカスト等の金属材料で形成されている。放熱部材25の下側が筐体20内に突出し、放熱部材25の平面状の下面に光源21が熱的に接触した状態に取り付けられている。放熱部材25の上側周辺部には、壁部27の上側に配置されるとともに壁部27よりも径方向に突出する縁部34が形成されている。縁部34には、複数の溝35が形成されている。複数の溝35は、縁部34の周方向に不均等な間隔で配置されている。さらに、縁部34には、複数のキー36が径方向に突設されている。複数のキー36は、縁部34の周方向に均等な間隔で配置されているが、不均等な間隔で配置されていてもよい。また、放熱部材25の上面には熱伝導シート37が取り付けられている。
【００１８】
突出部28の周囲で筐体20の上面周辺には、複数の電極39が突設されている。各電極39は、導電性を有する金属製で、ピン状に形成されている。複数の電極39のうち、１つが第１の電極40であり、残りが第２の電極41である。本実施形態では、１つの第１の電極40と５つの第２の電極41とを備えている。また、複数の電極39は、筐体20の周方向に不均等な間隔で配置されているが、均等な間隔で配置されていてもよい。
【００１９】
筐体20の上側が、ソケット14に着脱可能に装着する口金43として構成されている。そして、筐体20は、ソケット14に対して着脱可能でかつソケット14に対して一定の向きで組み合わされるように構成されている。ランプ装置11においては、複数の溝35がソケット14に対して組み合わせるランプ装置11の向きを一定にする規制部44として構成されている。
【００２０】
また、図１１に示すように、光源21は、基板46に複数の発光素子47を実装した発光モジュール48を備えている。発光モジュール48は、基板46に複数の発光素子47として複数の発光ダイオードを実装し、複数の発光ダイオードを蛍光体を含有した透光性樹脂で覆ったＣＯＢ（Chip On Board）モジュールによって構成されている。なお、発光素子としては、発光ダイオードを用いたＳＭＤ（Surface Mount Device）パッケージでもよいし、あるいはＥＬ素子等の他の半導体発光素子でもよい。
【００２１】
基板46の周辺部がホルダ49によって保持されている。ホルダ49は、基板46を放熱部材25の下面に押圧する状態で、放熱部材25の下面に固定されている。よって、基板46が放熱部材25に熱的に接続されている。
【００２２】
図１に示すように、光源21は、第１の電源入力部51と第２の電源入力部52を備えている。第１の電源入力部51は直流電源の−極用、第２の電源入力部52は直流電源の＋極用であるが、−極用と＋極用とは逆でもよい。これら第１の電源入力部51と第２の電源入力部52との間に複数の発光素子47が電気的に接続されている。
【００２３】
接続手段53により、第１の電源入力部51と第１の電極40とが電気的に接続されるとともに、第２の電源入力部52と第２の電極41とが電気的に接続されている。第２の電源入力部52と第２の電極41との電気的な接続に関しては、第２の電源入力部52と複数の第２の電極41のうちのランプ装置11の光出力（光束）の大きさに応じた第２の電極41とが電気的に接続されている。接続手段53は、例えばケーブル等である。
【００２４】
図７に示すように、ランプ装置11は、光出力の大きさに応じてＡ、Ｂ、Ｃ、Ｄ、Ｅの種類を有する。以下、ランプ装置11を、光出力の大きさに応じてランプ装置Ａ、ランプ装置Ｂ、ランプ装置Ｃ、ランプ装置Ｄ、ランプ装置Ｅとも呼ぶ。
【００２５】
ランプ装置Ａが最も光出力が低く、ランプ装置Ｂ、ランプ装置Ｃ、ランプ装置Ｄ、ランプ装置Ｅの順に光出力が高くなり、ランプ装置Ｅが最も光出力が高くなっている。ランプ装置Ａ〜Ｅには光出力に対応した光源21が用いられている。
【００２６】
図７に示すランプ装置Ａ〜Ｅに対応した#1〜#6は電極39の番号であり、#1が第１の電極40、#2〜#6が第２の電極41である。なお、図９にも#1〜#6を示す。
【００２７】
ランプ装置Ａは、#2〜#6の５つの第２の電極41が並列に電気的に接続され、第２の電源入力部52と#2〜#6の５つの第２の電極41とが電気的に接続されている。ランプ装置Ｂは、#3〜#6の４つの第２の電極41が並列に電気的に接続され、第２の電源入力部52と#3〜#6の４つの第２の電極41とが電気的に接続されている。ランプ装置Ｃは、#4〜#6の３つの第２の電極41が並列に電気的に接続され、第２の電源入力部52と#4〜#6の３つの第２の電極41とが電気的に接続されている。ランプ装置Ｄは、#5〜#6の２つの第２の電極41が並列に電気的に接続され、第２の電源入力部52と#5〜#6の２つの第２の電極41とが電気的に接続されている。ランプ装置Ｅは、第２の電源入力部52と#6の１つの第２の電極41とが電気的に接続されている。したがって、ランプ装置Ａ〜Ｄは、接続手段53により、第２の電源入力部52と複数の第２の電極41のうち光出力の大きさに応じた少なくとも２つ以上の第２の電極41とが電気的に接続されている。なお、図１に示すランプ装置11は、ランプ装置Ｃに相当する。
【００２８】
そして、ランプ装置Ａ〜Ｅは、光源21の光出力が異なるとともに、接続手段53による光源21と第２の電極41との電気的な接続が異なる以外は、共通の構造に形成されている。
【００２９】
また、図１１に示すように、器具12は、器具本体としての放熱体60、この放熱体60の下側に取り付けられた反射体61およびソケット14を備えている。さらに、器具12の周囲には、天井取付用の複数の取付ばねが取り付けられている。
【００３０】
放熱体60は、例えばアルミダイカストなどの金属材料によって形成されている。放熱体60には、円板状の基部62、およびこの基部62の上面から突出する複数の放熱フィン63が形成されている。基部62の下面には、平面状の接続面が形成されている。放熱体60には側方に突出するブラケット64が取り付けられ、このブラケット64に電源回路13が取り付けられている。
【００３１】
反射体61は、下方へ向けて拡開する円筒状に形成されている。
【００３２】
また、電源回路13は、商用交流電源を整流平滑して直流電源に変換する電源回路、この直流電源をスイッチング素子のスイッチングにより所定の直流出力として負荷（ランプ装置11の発光素子47）に供給するＤＣ／ＤＣコンバータ、およびスイッチング素子の発振を制御する制御ＩＣ等を備えている。さらに、電源回路13は、負荷の電流または電圧を検出し、負荷を定電流制御または定電圧制御する機能を備えている。そして、図２ないし図４に示すように、電源回路13は、直流電源を出力する第１の電源出力部66および第２の電源出力部67を有する。第１の電源出力部66が−極であり、第２の電源出力部67が＋極であるが、−極と＋極とは逆でもよい。
【００３３】
また、図８、図１０および図１１に示すように、ソケット14は、ソケット本体70、およびこのソケット本体70に配置された複数の端子71を備えている。
【００３４】
ソケット本体70は、絶縁性を有する合成樹脂製で環状に形成されている。ソケット本体70の中央には、ランプ装置11の口金43の突出部28が挿通する円形の挿通孔72が形成されている。
【００３５】
ソケット本体70の内周面には、複数の突起73が突設されている。複数の突起73は、ソケット本体70に組み合わされるランプ装置11の各溝35の位置と対応した位置に配置されている。そして、ソケット本体70の挿通孔72にランプ装置11の突出部28を挿入し、各突起73の位置と各溝35の位置とが一致することにより、ソケット本体70の挿通孔72にランプ装置11の突出部28を挿通可能とされている。したがって、ランプ装置11がソケット14に対して一定の向きで組み合わされるように構成されている。ソケット14においては、複数の突起73が、ソケット14に対して組み合わせるランプ装置11の向きを一定にする規制部44として構成されている。
【００３６】
ソケット本体70の内周面には、複数のキー溝74が形成されている。複数のキー溝74は、ソケット本体70に組み合わされるランプ装置11の各キー36の位置と対応した位置に形成されている。キー溝74は、下側が縦溝およびこの縦溝の上側で横溝が連通する略Ｌ字形に形成されている。そして、各キー溝74の縦溝に各キー36が挿入されるとともに、ランプ装置11が装着方向へ向けて回動されることによって各キー溝74の横溝に各キー36が嵌り込んで装着することができる。また、ランプ装置11が装着方向とは反対の取外し方向へ向けて回動されることによって各キー溝74の横溝から各キー36が外れ、各キー溝74の縦溝から各キー36を下方へ抜き外すことができる。したがって、ソケット14に対してランプ装置11が着脱可能に構成されている。
【００３７】
ソケット本体70の下面には、ソケット本体70内に収納される複数の端子71を覆うソケットカバー75が取り付けられている。
【００３８】
ソケット本体70の下面には、ランプ装置11の電極39が挿入される複数の接続孔76が形成されている。接続孔76は、ソケット本体70に組み合わされるランプ装置11の各電極39の位置と対応した位置に配置されている。接続孔76は、ソケット本体70の周方向に沿って長孔状に形成されている。各接続孔76の上側に各端子71がそれぞれ配置されており、接続孔76に挿入されたランプ装置11の各電極39が各端子71にそれぞれ電気的に接続される。
【００３９】
なお、ソケット14は、支持機構によって放熱体60に支持されている。この支持機構では、ソケット14にランプ装置11の口金43が装着されることにより、その口金43の上面すなわち放熱部材25の上面が熱伝統シート37を介在して放熱体60の下面に押し付け、ランプ装置11から放熱体60への熱伝導性を高めるように構成されている。
【００４０】
また、端子71は、ソケット14に対してランプ装置11が装着位置に回動することにより、電極39が接触し、電極39と電気的に接続される。
【００４１】
図２ないし図４に示すように、複数の端子71のうちの所定の１つが第１の端子77であり、残りの端子71のうちのいずれか１つが第２の端子78である。第１の端子77は、直流電源の−極用であり、第２の端子78は＋極用であるが、−極用と＋極用とは逆でもよい。
【００４２】
配線手段79により、電源回路13の第１の電源出力部66と第１の端子77とが電気的に接続されているとともに、電源回路13の第２の電源出力部67と第２の端子78とが電気的に接続されている。第２の電源出力部67と第２の端子78との電気的な接続に関しては、第２の電源出力部67と、複数の端子71のうちの器具12と組み合わせるランプ装置11の光出力の大きさに応じて異なる位置に配置されている第２の端子78とが電気的に接続されている。配線手段79は、例えばケーブル等である。
【００４３】
そして、器具12は、ランプ装置11の光出力に応じた発熱量と器具12の放熱性能とが最適化されるように、ランプ装置11の光出力の大きさ（種類）に応じて、放熱性能の異なる器具種類に分けられている。
【００４４】
図７に示すように、器具12は、放熱性能に応じてＡ、Ｂ、Ｃ、Ｄ、Ｅの種類を有する。以下、器具12を、放熱性能に応じて器具Ａ、器具Ｂ、器具Ｃ、器具Ｄ、器具Ｅとも呼ぶ。
【００４５】
器具Ａが最も放熱性能が低く、器具Ｂ、器具Ｃ、器具Ｄ、器具Ｅの順に放熱性能が高くなり、器具Ｅが最も放熱性能が高くなっている。器具Ａ〜Ｅには放熱性能に応じた放熱体60が用いられている。
【００４６】
図７に示す器具Ａ〜Ｅに対応した#1〜#6はソケット14の端子71の番号であり、#1が第１の端子77、#2〜#6のいずれか１つが第２の端子78である。なお、図１０にも#1〜#6を示す。
【００４７】
器具Ａは、電源回路13の第２の電源出力部67とソケット14の#2の第２の端子78とが電気的に接続されている。器具Ｂは、電源回路13の第２の電源出力部67とソケット14の#3の第２の端子78とが電気的に接続されている。器具Ｃは、電源回路13の第２の電源出力部67とソケット14の#4の第２の端子78とが電気的に接続されている。器具Ｄは、電源回路13の第２の電源出力部67とソケット14の#5の第２の端子78とが電気的に接続されている。器具Ｅは、電源回路13の第２の電源出力部67とソケット14の#6の第２の端子78とが電気的に接続されている。したがって、器具Ａ〜Ｅは、放熱性能に応じてソケット本体70の異なる位置に配置された端子71が第２の端子78として電源回路13に電気的に接続されている。なお、図２に示す器具12は器具Ｅに相当し、図３に示す器具12は器具Ｄに相当し、図４に示す器具12は器具Ｂに相当する。
【００４８】
そして、器具Ａ〜Ｅは、放熱性能が異なる以外は、共通の構造に形成されている。なお、電源回路13は、光出力の異なるランプ装置Ａ〜Ｅのいずれにも対応可能であって共通とするが、光出力の異なるランプ装置Ａ〜Ｅ毎に専用であってもよい。
【００４９】
次に、本実施形態の作用を説明する。
【００５０】
図７において、ランプ装置Ａと器具Ａ、ランプ装置Ｂと器具Ｂ、ランプ装置Ｃと器具Ｃ、ランプ装置Ｄと器具Ｄ、ランプ装置Ｅと器具Ｅが、それぞれランプ装置Ａ〜Ｅの光出力による放熱量と器具Ａ〜Ｅの放熱性能とが最適となる組み合わせとなっている。
【００５１】
ランプ装置Ａ〜Ｅは、器具Ａ〜Ｅのいずれにも装着することができる。ランプ装置Ａ〜Ｅが最適となる組み合わせの器具Ａ〜Ｅおよびその器具Ａ〜Ｅよりも放熱性能が高い器具に組み合わされた場合には、器具からランプ装置Ａ〜Ｅに電源供給され、ランプ装置Ａ〜Ｅが点灯する。また、ランプ装置Ｂ〜Ｅが最適となる組み合わせの器具Ｂ〜Ｅよりも放熱性能が低い器具Ａ〜Ｄに組み合わされた場合には、器具Ａ〜Ｄからランプ装置Ｂ〜Ｅに電源供給されず、ランプ装置Ｂ〜Ｅは点灯しない。
【００５２】
例えば、ランプ装置Ｃは、器具Ｃと組み合わせることで、ランプ装置Ｃの光出力による放熱量と器具Ｃの放熱性能とが最適となる。この場合、電源回路13の−極がソケット14の#1の第１の端子77およびランプ装置Ｃの#1の第１の電極40を通じて光源21に電気的に接続され、電源回路13の＋極がソケット14の#4の第２の端子78およびランプ装置Ｃの#4の第２の電極41を通じて光源21に電気的に接続され、光源21に直流電源が供給され、光源21が点灯する。
【００５３】
図５(a)および図７に示すように、ランプ装置Ｃを、器具Ｃよりも放熱性能が高い器具Ｅと組み合わせた場合、電源回路13の−極がソケット14の#1の第１の端子77およびランプ装置Ｃの#1の第１の電極40を通じて光源21に電気的に接続され、電源回路13の＋極がソケット14の#6の第２の端子78およびランプ装置Ｃの#6の第２の電極41を通じて光源21に電気的に接続され、光源21に直流電源が供給され、光源21が点灯する。この場合、ランプ装置Ｃの光出力に応じた発熱量に対して器具Ｅの放熱性能が過剰なだけで、ランプ装置Ｃを使用することができる。
【００５４】
図５(b)および図７に示すように、ランプ装置Ｃを、器具Ｃよりも放熱性能が高い器具Ｄと組み合わせた場合、電源回路13の−極がソケット14の#1の第１の端子77およびランプ装置Ｃの#1の第１の電極40を通じて光源21に電気的に接続され、電源回路13の＋極がソケット14の#5の第２の端子78およびランプ装置Ｃの#5の第２の電極41を通じて光源21に電気的に接続され、光源21に直流電源が供給され、光源21が点灯する。この場合、ランプ装置Ｃの光出力に応じた発熱量に対して器具Ｄの放熱性能が過剰なだけで、ランプ装置Ｃを使用することができる。
【００５５】
図５(c)および図７に示すように、ランプ装置Ｃを、器具Ｃよりも放熱性能が低い器具Ｂと組み合わせた場合、電源回路13の−極がソケット14の#1の第１の端子77およびランプ装置Ｃの#1の第１の電極40に接続され、電源回路13の＋極がソケット14の#3の第２の端子78およびランプ装置Ｃの#3の第２の電極41に接続されるが、#3の第２の電極41は光源21に対して電気的に接続されていないので、光源21には直流電源が供給されず、光源21は点灯しない。この組み合わせでは、仮に、ランプ装置Ｃに直流電源が供給されてしまうと、ランプ装置Ｃの光出力に応じた発熱量に対して器具Ｅの放熱性能が不足し、ランプ装置Ｃに熱的影響が生じてしまう。
【００５６】
同様に、図６(a)(b)には、ランプ装置Ｂを、器具Ｂよりも放熱性能の高い器具ＥおよびＤに組み合わせた場合を示し、ランプ装置Ｂの光源21に直流電源が供給され、光源21が点灯する。また、図６(c)には、ランプ装置Ｂを、放熱性能が最適となる器具Ｂに組み合わせた場合を示し、ランプ装置Ｂの光源21に直流電源が供給され、光源21が点灯する。
【００５７】
このように、本実施形態によれば、ランプ装置11の光源21に電気的に接続される少なくとも２つ以上の第２の電極41のいずれからでも、光源21への電源の供給を可能とするため、放熱性能が最適な器具12や、放熱性能が最適な器具12よりも放熱性能が高い器具12であれば、ランプ装置11を共通使用することができる。
【００５８】
さらに、ランプ装置11は光源21に電気的に接続されない第２の電極41を備えるため、ランプ装置11を放熱性能が最適な器具12よりも低い器具12に装着した場合には、第２の電極41からの電源の供給を遮断し、ランプ装置11を点灯させず、ランプ装置11に熱的影響が生じるのを防止することができる。
【００５９】
次に、図１２に第２の実施形態を示す。なお、第１の実施形態と同様の構成および作用については、同じ符号を用いて、その説明を省略する。
【００６０】
ランプ装置11は、複数系統の光源21を備えている。例えば、ランプ装置11は、異なる色温度の光を発す第１および第２の光源21を備えている。複数の電極39のうち、２つが各光源21の第１の電源入力部51に電気的に接続される第１の電極40であり、残りが第２の電極41である。
【００６１】
ランプ装置11は、光出力の大きさに応じてＦ、Ｇ、Ｈ、Ｉの種類を有する。以下、ランプ装置11を、光出力の大きさに応じてランプ装置Ｆ、ランプ装置Ｇ、ランプ装置Ｈ、ランプ装置Ｉとも呼ぶ。
【００６２】
ランプ装置Ｆが最も光出力が低く、ランプ装置Ｇ、ランプ装置Ｈ、ランプ装置Ｉの順に光出力が高くなり、ランプ装置Ｉが最も光出力が高くなっている。ランプ装置Ｆ〜Ｉには光出力に対応した光源21が用いられている。
【００６３】
図１２に示すランプ装置Ｆ〜Ｉに対応した#1〜#6は電極39の番号であり、#1が第１の光源21に電気的に接続される第１の電極40、#2が第２の光源21に電気的に接続される第１の電極40、#3〜#6が第２の電極41である。
【００６４】
ランプ装置Ｆは、#3〜#6の４つの第２の電極41が並列に電気的に接続され、第２の電源入力部52と#3〜#6の４つの第２の電極41とが電気的に接続されている。ランプ装置Ｇは、#4〜#6の３つの第２の電極41が並列に電気的に接続され、第２の電源入力部52と#4〜#6の３つの第２の電極41とが電気的に接続されている。ランプ装置Ｈは、#5〜#6の２つの第２の電極41が並列に電気的に接続され、第２の電源入力部52と#5〜#6の２つの第２の電極41とが電気的に接続されている。ランプ装置Ｉは、第２の電源入力部52と#6の１つの第２の電極41とが電気的に接続されている。したがって、ランプ装置Ｆ〜Ｈは、接続手段53により、第２の電源入力部52と複数の第２の電極41のうち光出力の大きさに応じた少なくとも２つ以上の第２の電極41とが電気的に接続されている。
【００６５】
また、電源回路13は、第１および第２の光源21に個別に電源供給する２つの第１の電源出力部66を備えている。
【００６６】
また、ソケット14は、複数の端子71のうちの所定の２つが第１の端子77であり、残りの端子71のうちのいずれか１つが第２の端子78である。
【００６７】
また、器具12は、放熱性能に応じてＦ、Ｇ、Ｈ、Ｉの種類を有する。以下、器具12を、放熱性能に応じて器具Ｆ、器具Ｇ、器具Ｈ、器具Ｉとも呼ぶ。
【００６８】
器具Ｆが最も放熱性能が低く、器具Ｇ、器具Ｈ、器具Ｉの順に放熱性能が高くなり、器具Ｉが最も放熱性能が高くなっている。器具Ｆ〜Ｉには放熱性能に応じた放熱体60が用いられている。
【００６９】
図７に示す器具Ｆ〜Ｉに対応した#1〜#6はソケット14の端子71の番号であり、#1および#2が第１の端子77、#3〜#6のいずれか１つが第２の端子78である。
【００７０】
器具Ｆは、電源回路13の第２の電源出力部67とソケット14の#3の第２の端子78とが電気的に接続されている。器具Ｇは、電源回路13の第２の電源出力部67とソケット14の#4の第２の端子78とが電気的に接続されている。器具Ｈは、電源回路13の第２の電源出力部67とソケット14の#5の第２の端子78とが電気的に接続されている。器具Ｉは、電源回路13の第２の電源出力部67とソケット14の#6の第２の端子78とが電気的に接続されている。したがって、器具Ｆ〜Ｉは、放熱性能に応じてソケット本体70の異なる位置に配置された端子71が第２の端子78として電源回路13に電気的に接続されている。
【００７１】
そして、ランプ装置Ｆと器具Ｆ、ランプ装置Ｇと器具Ｇ、ランプ装置Ｈと器具Ｈ、ランプ装置Ｉと器具Ｉが、それぞれランプ装置Ｆ〜Ｉの光出力による放熱量と器具Ｆ〜Ｉの放熱性能とが最適となる組み合わせとなっている。
【００７２】
ランプ装置Ｆ〜Ｉは、器具Ｆ〜Ｉのいずれにも装着することができる。ランプ装置Ｆ〜Ｉが最適となる組み合わせの器具Ｆ〜Ｉおよびその器具Ｆ〜Ｉよりも放熱性能が高い器具に組み合わされた場合には、器具からランプ装置Ｆ〜Ｉに電源供給され、ランプ装置Ｆ〜Ｉが点灯する。また、ランプ装置Ｇ〜Ｉが最適となる組み合わせの器具Ｇ〜Ｉよりも放熱性能が低い器具Ｆ〜Ｈに組み合わされた場合には、器具Ｆ〜Ｈからランプ装置Ｇ〜Ｉに電源供給されず、ランプ装置Ｇ〜Ｉは点灯しない。
【００７３】
次に、図１３に第３の実施形態を示す。なお、第１の実施形態と同様の構成および作用については、同じ符号を用いて、その説明を省略する。
【００７４】
光源21が１つのランプ装置Ａ，Ｃおよび光源21が２つのランプ装置Ｆ，Ｇ，Ｈ，Ｉと器具Ｆ，Ｇ，Ｈ，Ｉとを混合して組み合わせる例を示す。
【００７５】
ランプ装置ＡおよびＦと器具Ｆ、ランプ装置ＣおよびＧと器具Ｇ、ランプ装置Ｈと器具Ｈ、ランプ装置Ｉと器具Ｉが、それぞれランプ装置Ｆ〜Ｉの光出力による放熱量と器具Ｆ〜Ｉの放熱性能とが最適となる組み合わせとなっている。
【００７６】
ランプ装置Ａ，Ｃ，Ｆ〜Ｉは、器具Ｆ〜Ｉのいずれにも装着することができる。ランプ装置Ａ，Ｃ，Ｆ〜Ｉが最適となる組み合わせの器具Ｆ〜Ｉおよびその器具Ｆ〜Ｉよりも放熱性能が高い器具に組み合わされた場合には、器具からランプ装置Ａ，Ｃ，Ｆ〜Ｉに電源供給され、ランプ装置Ａ，Ｃ，Ｆ〜Ｉが点灯する。また、ランプ装置Ｃ，Ｇ〜Ｉが最適となる組み合わせの器具Ｇ〜Ｉよりも放熱性能が低い器具に組み合わされた場合には、器具からランプ装置Ｃ，Ｇ〜Ｉに電源供給されず、ランプ装置Ｃ，Ｇ〜Ｉは点灯しない。
【００７７】
なお、本実施形態の構成は、上述したランプ装置11およびソケット14等の形態に限らず、他の形態のランプ装置およびソケットにも適用できる。
【００７８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７９】
10    照明装置
11    ランプ装置
12    器具
13    電源回路
14    ソケット
20    筐体
21    光源
28    突出部
40    第１の電極
41    第２の電極
51    第１の電源入力部
52    第２の電源入力部
53    接続手段
70    ソケット本体
77    第１の端子
78    第２の端子
【図１】
2015118775.tif 000003
【図２】
2015118775.tif 000004
【図３】
2015118775.tif 000005
【図４】
2015118775.tif 000006
【図５】
2015118775.tif 000007
【図６】
2015118775.tif 000008
【図７】
2015118775.tif 000009
【図８】
2015118775.tif 000010
【図９】
2015118775.tif 000011
【図１０】
2015118775.tif 000012
【図１１】
2015118775.tif 000013
【図１２】
2015118775.tif 000014
【図１３】
2015118775.tif 000015